(57)【要約】【課題】  要介護者や体力の弱った高齢者でも単独で、簡単に足湯を楽しむことが可能な足湯槽又は入浴槽に併設した足湯槽を提供する。【解決手段】  周辺に着座部を設置した足湯槽１において、自動給湯器４に接続した給湯パイプ５および排湯パイプ６を備え、前記自動給湯器４から前記給湯パイプ５を介して槽１内上部に給湯し、槽１内を循環させた後に槽１内下部に設置した前記排湯パイプ６から前記給湯器４に湯を戻すように構成した。【選択図】  図１
0003125535.tif 000002
【実用新案登録請求の範囲】
【請求項１】
周辺に着座部を設置した足湯槽において、自動給湯器に接続した給湯パイプおよび排湯パイプを備え、前記自動給湯器から前記給湯パイプを介して槽内上部に給湯し、槽内を循環させた後に槽内下部に設置した前記排湯パイプから直接または間接に前記給湯器に湯を戻すように構成したことを特徴とする足湯槽。
【請求項２】
入浴槽に隣接して併設するとともに、周辺に着座部を設置した足湯槽において、自動給湯器に接続した給湯パイプおよび排湯パイプを備え、前記自動給湯器から前記給湯パイプを介して槽内上部に給湯し、槽内を循環させた後に前記排湯パイプから前記入浴槽の上部に給湯し、前記入浴槽を循環させた湯を前記入浴槽内の下部に設置した浴槽排湯パイプから前記給湯器に湯を戻すように構成したことを特徴とする入浴槽に併設した足湯槽。
【請求項３】
入浴槽に隣接して併設するとともに、周辺に着座部を設置した足湯槽において、自動給湯器に接続した給湯パイプおよび排湯パイプを備え、前記自動給湯器から前記給湯パイプを介して槽内上部に給湯し、槽内を循環させた後に前記排湯パイプから徐々に低い位置へ傾斜させて前記入浴槽の上部に給湯し、前記入浴槽を循環させた湯を前記入浴槽内の下部に設置した浴槽排湯パイプから前記給湯器に湯を戻すように構成したことを特徴とする入浴槽に併設した足湯槽。
【請求項４】
周辺に着座部を設置した足湯槽において、前記着座部の背後に背もたれを設置するとともに自動給湯器に接続した給湯パイプおよび排湯パイプを備え、前記自動給湯器から前記給湯パイプを介して槽内上部に給湯し、槽内を循環させた後に槽内下部に設置した前記排湯パイプから前記給湯器に湯を戻すように構成したことを特徴とする請求項1ないし請求項３の何れかに記載した足湯槽。
【考案の詳細な説明】
【技術分野】
【０００１】
本考案は、温泉入浴や一般家庭での入浴に代わり、入浴と同等の効果を簡単に得るための足湯に用いられる足湯槽および入浴槽に併設した足湯槽に関するものである。
【背景技術】
【０００２】
温泉ブームに限らず日本では古来温泉療法が盛んであるが、近年では全国各地で気軽に行える健康方法として、一般家庭でも入浴とともに足湯にも人気が集まりつつある。
【０００３】
これは、足湯が衣服を着たまま手軽に行え、それによって体全体を暖めて気分を爽快にするとともに、血行をよくすることができるからであると考えられる。
【０００４】
特に、心臓疾患を気にする人や高齢者には半身欲が勧められているが、それと同様に足湯でも心臓に負担を掛けないようにしつつ、血行を良くすることができるので好都合である。
【０００５】
足湯は、足のくるぶしくらいまでを湯槽につけて身体を温めるもので、身体の末端の一部分を暖めるだけで全身の血行が良くなり、それに伴って体内に蓄積された老廃物を効率的に代謝させることができるようになる。足湯や入浴によって老廃物の代謝が高まるとともに、自律神経の安定化が図られ心身をリラックスさせ、気分を爽快にすることができる。
【０００６】
このような効果を有する足湯であるから、要介護者や体力の弱った高齢者が多いケアハウスでは、入浴設備とともに足湯設備にも人気が出ており、次第に必須の設備になりつつある。
【０００７】
このような要求に対して、例えば、特許文献１に示されるような「浴槽内の湯で足湯が可能になるような装置を取り付けた浴槽」が提案されており、ここに示された浴槽は、入浴槽の脇に折りたたみ収納可能な椅子を設置して、入浴槽を使って足湯を可能にしたものである。
【特許文献１】特開２００５‐１３７８４５号公報（図１、要約参照）
【考案の開示】
【考案が解決しようとする課題】
【０００８】
然しながら、上記した特許文献１に開示の提案にあっては、浴槽が入浴槽を兼ねたものであって、湯の量が多いために要介護者や体力の弱った高齢者にとって注意が必要であり、着衣のまま気軽に足湯のみを楽しむことが困難である。
【０００９】
すなわち、要介護者や体力の弱った高齢者は、簡単な足湯といえども単独では行動することが困難な場合があるため、非常事態を考えると常時介護者が付き添う必要がある。
【００１０】
したがって、上記従来の足湯装置では、要介護者や体力の弱った高齢者が単独で足湯を行う場合には、万一転倒した場合でも事故につながるようなことのないように、転倒防止のため身体を固定させたり湯の量を少なくしたりして対応しなければならないなどの問題があった。
【００１１】
本考案は、このような課題を解決して、要介護者や体力の弱った高齢者でも単独で、簡単に足湯を楽しむことが可能な足湯槽又は入浴槽に併設した足湯槽を提供することを目的とする。
【課題を解決するための手段】
【００１２】
上記課題を解決するために、請求項1に記載の考案によれば、周辺に着座部を設置した足湯槽において、自動給湯器に接続した給湯パイプおよび排湯パイプを備え、前記自動給湯器から前記給湯パイプを介して槽内上部に給湯し、槽内を循環させた後に槽内下部に設置した前記排湯パイプから直接または間接に前記給湯器に湯を戻すように構成したことを特徴とする。
【００１３】
また、請求項２に記載の考案によれば、入浴槽に隣接して併設するとともに、周辺に着座部を設置した足湯槽において、前記足湯槽の前記排湯パイプから前記入浴槽の上部に給湯し、前記入浴槽を循環させた湯を前記入浴槽内の下部に設置した浴槽排湯パイプから前記給湯器に湯を戻すように構成したことを特徴とする。
【００１４】
さらに、請求項３に記載の考案によれば、前記足湯槽の前記排湯パイプから徐々に低い位置へ傾斜させて前記入浴槽の上部に給湯し、前記入浴槽を循環させた湯を前記入浴槽内の下部に設置した浴槽排湯パイプから前記給湯器に湯を戻すように構成したことを特徴とする。
【００１５】
さらに、請求項４に記載の考案によれば、前記着座部の背後に背もたれを設置するとともに自動給湯器に接続した給湯パイプおよび排湯パイプを備えるように構成したことを特徴とする。
【考案の効果】
【００１６】
請求項1に記載の考案によれば、周辺に着座部を設置した足湯槽であって、自動給湯器から給湯パイプを介して槽内上部に給湯し、槽内を循環させた後に槽内下部に設置した排湯パイプから直接または間接に給湯器に湯を戻すように構成したから、少ない湯量であっても効率的に、しかも要介護者や体力の弱った高齢者等が独自に簡単に足湯を行うことができるようになる。
【００１７】
そして、請求項２に記載の考案によれば、入浴槽に隣接して併設され周辺に着座部を設置した足湯槽であって、足湯槽の排湯パイプから入浴槽の上部に給湯し、入浴槽を循環させた湯を入浴槽内の下部に設置した浴槽排湯パイプから給湯器に湯を戻すように構成したから、比較的清潔な足湯槽の残り湯を入浴槽でも再利用できるようになる。
【００１８】
また、請求項３に記載の考案によれば、足湯槽の排湯パイプから徐々に低い位置へ傾斜させて入浴槽の上部に給湯し、入浴槽を循環させた湯を入浴槽内の下部に設置した浴槽排湯パイプから給湯器に湯を戻すように構成したから、効率的に残り湯を循環させることができるようになる。
【００１９】
さらに、請求項４に記載の考案によれば、前記着座部の背後に背もたれを設置するとともに自動給湯器に接続した給湯パイプおよび排湯パイプを備えるように構成したから、足湯使用者が背もたれに寄りかかりながら、比較的安楽な姿勢で足湯を行うことが出来て、リラックスできる効果を有する。
【００２０】
このように、本考案によれば、簡単にしかも効率的に足湯のできる足湯槽および入浴槽に併設した足湯槽を提供できるようになる。
【考案を実施するための最良の形態】
【００２１】
以下、本考案の一実施の形態について、図面を参照して詳細に説明するが、いずれも本考案の足湯槽を入浴槽に併設した実施形態の図面であって、図１は全体の鳥瞰図であり、また、図２は平面図、図３は断面図であるが、ここで、足湯層は、単独で設置できるものであり、入浴層に併設することは必須の要件ではないことは容易に理解できる。
【００２２】
各図において、浴室ＢＲには外の景色を眺めながら足湯や入浴ができるようにガラス窓Ｗが取り付けられ、浴室ＢＲの床面Ｆの一角に床面Ｆとほぼ同一高さの位置に足湯槽１が設置され、さらにその一辺側には足湯使用者Ｍが座るための着座部(座席)２が設置されている。
【００２３】
足湯槽１の幅は、図の実施形態では三人が腰掛けて足湯を行えるようになっているが、これに限定されず適宜側方や向かい側にも、着座部２を設置しても良い。
【００２４】
足湯槽１の奥行きについては、座った状態で足が真直ぐにできれば十分であり、むしろ足湯使用者Ｍが転倒した場合などを考慮すると、人体が入らない広さであることが好ましい。
【００２５】
着座部２の脇には、足湯使用者Ｍが着座する際に捕まり、かつ、着座後には寄り掛かるための背もたれ３が設置されており、足湯槽１に温水を給湯するため、給湯器４から給湯パイプ５が配管されており、給湯パイプ５は、足湯槽の上部へ給湯するように設置されている。
【００２６】
また、給湯パイプ５の下側には排湯パイプ６が設置され、排湯パイプ６は足湯槽の隣に設置された入浴槽７に向かって配管されており、従って、足湯槽１内を循環した湯は、排湯パイプ６を通って入浴槽７に給湯されることになる。
【００２７】
ここで、図３に示すように排湯パイプ６は、足湯槽６から矢印で示す入浴槽７に向かって、徐々に下がる方向に傾斜させて配管されており、  入浴槽７は、浴室ＢＲの床面Ｆから僅かに高くなった位置に、浴槽のヘリが来るように設置されている。
【００２８】
つまり、浴室ＢＲの床面Ｆを流れる排湯が、浴槽内に流れ込まないようになっており、入浴槽７の下側には、入浴槽７内を循環した湯を再び給湯器４へ循環させるための循環パイプ８が配管されている。
【００２９】
ここで、図に示されていないが、入浴層７を使用しないで足湯槽１だけを使用する場合には、足湯槽１から排湯パイプ６を介して、適宜切り替えバルブ等によって給湯器４へ、足湯槽１で使用した湯を直接循環させるようにしても良く、足湯槽１から直接または間接に、給湯器４へ湯を循環させることが出来る。
【００３０】
浴室ＢＲへ入るには、入口Ｅから数段の階段Ｓを登り、足湯使用者Ｍは、そのままあるいは必要な場合には適宜脱衣して、浴室ＢＲの入口に左右方向へ開閉自在に設置されたドアＤを開けて、浴室ＢＲに入ることができる。
【００３１】
次に、上記設備を使って足湯を行う方法について説明すると、図示しないが公知の方法で給湯器４を作動させて、予め給湯パイプ５によって足湯槽１に給湯しておく。
【００３２】
足湯の温度は、一般に３８〜４２℃くらいが適当であるとされており、また、足湯のために適当な湯量としては足首がつかる程度、つまり、足のくるぶしの上約５センチまでの量が適当であるとされる。
【００３３】
このように、足湯槽１に給湯が完了し、足湯の準備がなされたところで、足湯使用者Ｍは入口Ｅから入り、さらに階段Ｓをのぼり浴室ＢＲに入って、足湯槽１の近くまで行く。
【００３４】
背もたれ３に捕まりながら着座部２にゆっくり腰掛け、足湯槽１に足首を垂らせば良く、足湯の時間は、一般に、１５〜２０分くらいが適当であるといわれているが、本人の体調次第で適宜調節することが好ましい。
【００３５】
つまり、うっすらと汗をかく程度が良いという人や、心臓に負担のかからない程度であって、血行が良くなればよいという人など様々であるが、あまり汗を多くかくまで足湯を行うことは、発汗のために余分なエネルギーを消耗するので、代謝を高めることはできるが、心臓に負担がかかるので好ましくない。
【００３６】
足湯だけを利用する人は、着衣のまま着座部２に座って足湯槽１を利用できるので、簡単でかつ気軽に足湯を楽しむことができ、その際には、隣の人と適宜会話を楽しみながら、あるいは外の景色を眺めながら、手軽に足湯を行うことができ、その後浴室ＢＲを退室するが、続いて入浴する人は、後方の入浴槽７につかり全身を暖めることが出来る。
【００３７】
なお、本考案は、上記した実施形態に限定されるものではなく、本考案の技術的思想の範囲内で、適宜変更して実施することができるものである。
【図面の簡単な説明】
【００３８】
【図１】本考案の実施の一形態による足湯槽および入浴槽に併設した足湯槽の鳥瞰図である。
【図２】本考案の実施の一形態による部分平面図である。
【図３】本考案の実施の一形態による部分断面図である。
【符号の説明】
【００３９】
１  足湯槽
２  着座部(座席)
３  背もたれ
４  給湯器
５  給湯パイプ
６  排湯パイプ
７  入浴槽
８  循環パイプ
ＢＲ  浴室
Ｄ  ドア
Ｅ  入口
Ｆ  床面
Ｓ  階段
Ｗ  ガラス窓
【図１】
0003125535.tif 000003
【図２】
0003125535.tif 000004
【図３】
0003125535.tif 000005